(57)【要約】【課題】  記憶容量を抑えた誤報知の少ない防災警報受信機を提供する。【解決手段】  第一地域コードを有する信号処理記憶部２０６と、部分地域コードと割当ビット番号とを対応して記憶する変換テーブルと、第二地域コードと、を有する制御記憶部２１０と、を備え、信号処理部２０５は、受信した防災行政無線情報に含まれる地域コードと第一地域コードとの比較結果に従い第一防災警報情報の出力指示信号を制御部２０９に送信し、緊急地震情報を受信したときに緊急地震情報内のＡＣ信号情報を制御部２０９に送信し、制御部２０９は、出力指示信号を受けて第一防災警報情報を出力部２１１に出力させ、及び、信号処理部２０５からＡＣ信号情報を受信すると変換テーブルにより第二地域コードに含まれる部分地域コードに対応する割当ビット番号を求め、割当ビット番号に該当するＡＣ信号情報内にあるビット情報に従い、第二防災警報情報を出力部２１１に出力させる。【選択図】  図２
2016146579.tif 000002
【特許請求の範囲】
【請求項１】
送信局から防災行政無線情報及び緊急地震情報を受信する受信部と、
自身の設置地域に対応した第一地域コードを有する信号処理記憶部と、
部分地域コードと割当ビット番号とを対応して記憶する変換テーブルと、前記第一地域コードと同値の第二地域コードと、を有する制御記憶部と、
前記防災行政無線情報に関する第一防災警報情報及び前記緊急地震情報に関する第二防災警報情報を出力する出力部と、
前記受信部から前記防災行政無線情報及び前記緊急地震情報を受信する信号処理部と、
制御部と、
を備え、
前記信号処理部は、
前記防災行政無線情報に含まれる地域コードと前記第一地域コードとの比較結果に従い前記第一防災警報情報の出力指示信号を前記制御部に送信し、
前記緊急地震情報を受信したときに前記緊急地震情報内のＡＣ信号情報を前記制御部に送信し、
前記制御部は、
前記出力指示信号を受けて前記第一防災警報情報を前記出力部に出力させ、及び、
前記信号処理部から前記ＡＣ信号情報を受信すると前記変換テーブルにより前記第二地域コードに含まれる部分地域コードに対応する前記割当ビット番号を求め、求めた前記割当ビット番号に該当する前記ＡＣ信号情報内にあるビット情報に従い、前記第二防災警報情報を前記出力部に出力させる、
ことを特徴とする防災警報受信機。
【請求項２】
前記制御部は、
前記第二地域コードに含まれる部分地域コードに対応した前記割当ビット番号に該当するビット情報が地震動情報の対象地域であることを示す場合、前記第二防災警報情報を第一出力動作で出力させ、
前記第二地域コードに含まれる部分地域コードに対応した前記割当ビット番号に該当するビット情報が地震動情報の対象地域でないことを示す場合、前記第二防災警報情報を前記第一出力動作より報知レベルの低い第二出力動作で出力させる、
ことを特徴とする請求項１に記載の防災警報受信機。
【請求項３】
前記出力部は、音声出力部と、前記音声出力部を制御する音声処理部と、を有し、
前記緊急地震情報は、緊急地震音声情報を有し、
前記信号処理部は、前記緊急地震情報から前記緊急地震音声情報を取り出して前記音声処理部へ送信し、
前記制御部は、前記音声処理部に対し前記緊急地震音声情報の音声出力指示を送信し、
前記音声処理部は、前記緊急地震音声情報を前記音声出力部から前記第二防災警報情報として出力させる、
ことを特徴とする請求項１又は請求項２に記載の防災警報受信機。
【請求項４】
前記出力部は、表示部を有し、
前記制御記憶部は、防災警報情報を報知するための文字情報を有し、
前記変換テーブルは、前記部分地域コードと前記割当ビット番号とに対応する地域名情報を有し、
前記制御部は、
前記変換テーブルから前記第二地域コードに含まれる部分地域コードに対応する前記地域名情報を取得し、
前記制御記憶部から前記文字情報を取得し、
取得した前記地域名情報及び前記文字情報を前記第二防災警報情報として前記表示部に表示させる、
ことを特徴とする請求項１又は請求項２に記載の防災警報受信機。
【請求項５】
前記制御部は、自身の設置地域に割当てられていない他のビットが地震動情報の対象地域を示すか判定し、地震動情報の対象地域を示すひとつ又は複数の前記他の地域名を前記変換テーブルにより求めて前記第二防災警報情報として出力することを特徴とする請求項４に記載の防災警報受信機。
【請求項６】
前記出力部は、表示部を有し、
前記制御記憶部は、防災警報情報を報知するための文字情報を有し、
前記変換テーブルは、前記部分地域コードと前記割当ビット番号とに対応する地域名を有し、
前記制御部は、
前記変換テーブルから前記防災行政無線情報に含まれる部分地域コードに対応する前記地域名を取得し、
前記制御記憶部から前記文字情報を取得し、
取得した前記地域名及び前記文字情報を前記第一防災警報情報として前記表示部に表示させる、
ことを特徴とする請求項１に記載の防災警報受信機。
【請求項７】
前記信号処理部は、前記第一防災警報情報及び前記第二防災警報情報を前記信号処理記憶部に記憶させ、
前記制御部は、
前記ＡＣ信号情報を前記制御記憶部に記憶させ、
過去の、前記第一防災警報情報又は前記第二防災警報情報を出力させる、
ことを特徴とする請求項１乃至請求項６に記載の防災警報受信機。
【請求項８】
入力部をさらに備え、
前記制御部は、前記入力部からの入力に従い、自身の設置地域に対応した地域コードを前記第一地域コード及び前記第二地域コードに登録する、
ことを特徴とする請求項１乃至請求項７の何れかに記載の防災警報受信機。
【請求項９】
前記出力部は制御信号出力部を有し、
前記制御部は、前記第一防災警報情報又は前記第二防災警報情報に応じた制御信号により外部機器を制御する、
ことを特徴とする請求項１乃至請求項８の何れかに記載の防災警報受信機。
【発明の詳細な説明】
【技術分野】
【０００１】
本発明は、防災警報受信機に係り、特に、緊急地震速報及び防災行政無線を受信して報知する防災警報受信機に関する。
【背景技術】
【０００２】
地震などの緊急を要する災害が発生した場合、送信局から送信された災害情報を受信して報知させる防災警報受信機が提示されている。例えば、待機時にラジオの音声の中から緊急地震速報のチャイム音を検出し、検出した時にスピーカーからラジオの音声を出力する防災行政ラジオ（ラジオ付き防災行政無線受信機）や緊急告知受信機が提案されている。
【０００３】
また、特許文献１には、ラジオ放送における緊急地震速報を受信した時や防災行政無線放送を受信したときに、これらの放送内容をスピーカーから発音する防災無線受信機が開示されている。この防災無線受信機は、緊急地震速報とともに発信されるチャイム音を検出することにより緊急地震速報が発報されたことを検知する。また、防災行政無線放送の信号をスケルチ判定することにより、防災行政無線放送が放送されていることを検知する。
【０００４】
一方、地上波テレビジョン放送では、放送中の映像や音声に重ねる形で緊急地震速報を送信している。しかしながら、送信機側の符号化や受信機側の復号化等で遅延が発生し、速報性に課題があった。これを解決するため、付加情報を伝送するためのＡＣ（Ａｕｘｉｌｉａｒｙ  Ｃｈａｎｎｅｌ）信号を利用して緊急地震速報の情報を送信する方式がＡＲＩＢ（ＳＴＤ−Ｂ３１）の規格に追加された。これによると、緊急地震速報は、セグメントＮｏ．０のＡＣ信号（キャリア）を用いて伝送される。
【０００５】
例えば、特許文献２には、放送局からＡＣ信号を利用して緊急地震速報が発報されると、その旨を表示部に表示すると共に、使用者の設定に従い警報音を発生させる緊急災害情報受信装置が開示されている。また、この緊急災害情報受信装置は、緊急地震速報を受信すると、エレベータ等の外部機器を安全に動作させるための制御信号を出力端子から出力すると共に、外部のテレビ受信装置に対し、緊急放送を受信させるための指令信号（電源オン指令、緊急放送選局指令）をリモコン送信部から送信させる。
【先行技術文献】
【特許文献】
【０００６】
【特許文献１】特開２０１４−０８６９２８号公報
【特許文献２】特開２０１３−２１１７５４号公報
【発明の概要】
【発明が解決しようとする課題】
【０００７】
しかしながら、特許文献１に記載の防災無線受信機のように、ラジオ放送の音声の中から緊急地震速報のチャイム音を検出する方式では、アナログの音声を解析するため、緊急地震速報とは関係ない音声でも特定の周波数の音の変化がチャイム音と似ていた場合に誤検知してしまうことがあった。また、全国規模の放送では、住んでいる場所とは関係ない地域に関する緊急地震速報も検出（例えば、東京に住んでいても北海道に向けた緊急地震速報も検出）してしまい、聞いている人に対し自身の地域に関する緊急地震速報であるのか混乱させてしまうこともある。そして、このような事が続くと、使用者の住居地を該当地域とする緊急地震速報に対する注意力を低下させてしまうおそれが生じる。
【０００８】
また、特許文献２のＡＣ信号を利用した緊急災害情報受信装置では、防災行政無線の受信を想定しておらず、地域に関連した多様な防災警報情報を報知することができない。
【０００９】
さらに、ＡＣ信号を利用した緊急地震速報の受信機では、緊急地震速報の対象地域の判別用に緊急地震速報用の地域情報を受信機側に設定しておく必要があった。そのため、緊急地震速報検知機能付き防災行政無線受信機を構成しようとする場合、受信機側は、緊急地震速報用及び防災行政無線用の地域識別情報を夫々保持するために、多くの記憶容量を備える必要があった。
【００１０】
本発明は、以上の点に鑑み、記憶容量を抑え、誤報知が少なく、確実迅速な警報の報知が可能な防災警報受信機を提供することを目的とする。
【課題を解決するための手段】
【００１１】
本発明の防災警報受信機は、送信局から防災行政無線情報及び緊急地震情報を受信する受信部と、自身の設置地域に対応した第一地域コードを有する信号処理記憶部と、部分地域コードと割当ビット番号とを対応して記憶する変換テーブルと、前記第一地域コードと同値の第二地域コードと、を有する制御記憶部と、前記防災行政無線情報に関する第一防災警報情報及び前記緊急地震情報に関する第二防災警報情報を出力する出力部と、前記受信部から前記防災行政無線情報及び前記緊急地震情報を受信する信号処理部と、制御部と、を備え、前記信号処理部は、前記防災行政無線情報に含まれる地域コードと前記第一地域コードとの比較結果に従い前記第一防災警報情報の出力指示信号を前記制御部に送信し、前記緊急地震情報を受信したときに前記緊急地震情報内のＡＣ信号情報を前記制御部に送信し、前記制御部は、前記出力指示信号を受けて前記第一防災警報情報を前記出力部に出力させ、及び、前記信号処理部から前記ＡＣ信号情報を受信すると前記変換テーブルにより前記第二地域コードに含まれる部分地域コードに対応する前記割当ビット番号を求め、求めた前記割当ビット番号に該当する前記ＡＣ信号情報内にあるビット情報に従い、前記第二防災警報情報を前記出力部に出力させる、ことを特徴とする。
【００１２】
また、前記制御部は、前記第二地域コードに含まれる部分地域コードに対応した前記割当ビット番号に該当するビット情報が地震動情報の対象地域であることを示す場合、前記第二防災警報情報を第一出力動作で出力させ、前記第二地域コードに含まれる部分地域コードに対応した前記割当ビット番号に該当するビット情報が地震動情報の対象地域でないことを示す場合、前記第二防災警報情報を前記第一出力動作より報知レベルの低い第二出力動作で出力させる、ことを特徴とする。
【００１３】
また、前記出力部は、音声出力部と、前記音声出力部を制御する音声処理部と、を有し、前記緊急地震情報は、緊急地震音声情報を有し、前記信号処理部は、前記緊急地震情報から前記緊急地震音声情報を取り出して前記音声処理部へ送信し、前記制御部は、前記音声処理部に対し前記緊急地震音声情報の音声出力指示を送信し、前記音声処理部は、前記緊急地震音声情報を前記音声出力部から前記第二防災警報情報として出力させる、ことを特徴とする。
【００１４】
また、前記出力部は、表示部を有し、前記制御記憶部は、防災警報情報を報知するための文字情報を有し、前記変換テーブルは、前記部分地域コードと前記割当ビット番号とに対応する地域名情報を有し、前記制御部は、前記変換テーブルから前記第二地域コードに含まれる部分地域コードに対応する前記地域名情報を取得し、前記制御記憶部から前記文字情報を取得し、取得した前記地域名情報及び前記文字情報を前記第二防災警報情報として前記表示部に表示させる、ことを特徴とする。
【００１５】
また、前記制御部は、自身の設置地域に割当てられていない他のビットが地震動情報の対象地域を示すか判定し、地震動情報の対象地域を示すひとつ又は複数の前記他の地域名を前記変換テーブルにより求めて前記第二防災警報情報として出力することを特徴とする。
【００１６】
また、前記出力部は、表示部を有し、前記制御記憶部は、防災警報情報を報知するための文字情報を有し、前記変換テーブルは、前記部分地域コードと前記割当ビット番号とに対応する地域名を有し、前記制御部は、前記変換テーブルから前記防災行政無線情報に含まれる部分地域コードに対応する前記地域名を取得し、前記制御記憶部から前記文字情報を取得し、取得した前記地域名及び前記文字情報を前記第一防災警報情報として前記表示部に表示させる、ことを特徴とする。
【００１７】
また、前記信号処理部は、前記第一防災警報情報及び前記第二防災警報情報を前記信号処理記憶部に記憶させ、前記制御部は、前記ＡＣ信号情報を前記制御記憶部に記憶させ、過去の、前記第一防災警報情報又は前記第二防災警報情報を出力させる、ことを特徴とする。
【００１８】
また、入力部をさらに備え、前記制御部は、前記入力部からの入力に従い、自身の設置地域に対応した地域コードを前記第一地域コード及び前記第二地域コードに登録する、ことを特徴とする。
【００１９】
また、前記出力部は制御信号出力部を有し、前記制御部は、前記第一防災警報情報又は前記第二防災警報情報に応じた制御信号により外部機器を制御する、ことを特徴とする。
【発明の効果】
【００２０】
本発明によると、地域コードが予め設定される防災警報受信機により緊急地震速報も受信可能とするため、チャイム音によらずに報知対象の地域判定を行うことができ、記憶容量を抑えて地震速報等の誤報知を少なくして確実に緊急情報を報知することのできる防災警報受信機を提供することができる。
【００２１】
また、緊急度のレベルを変えて防災行政無線情報に関する又は緊急地震速報に関する防災警報情報の警報出力をすることができる。
【００２２】
また、緊急地震速報に関する防災警報情報を、音声により報知することができる。
【００２３】
また、ＡＣ信号情報を受信した場合、音声情報の受信の有無に関わらず、緊急地震速報に関する防災警報情報を報知することができる。
【００２４】
また、自身の防災警報受信機が設置されている地域と異なる、他の地域の地震動情報を参考的な情報として確認することができる。
【００２５】
また、防災無線音声情報の受信の有無に関わらず、緊急地震速報に関する防災警報情報を報知することができる。
【００２６】
また、過去にどのような防災行政無線に関する警報又は緊急地震速報に関する警報を受信したか履歴の確認を行うことができる。
【００２７】
また、ひとつの設定地域コードを登録しておくことで、この設定地域コードを用いて、防災行政無線及び緊急地震速報の報知対象の地域判定をすることができる。
【００２８】
また、防災行政無線又は緊急地震速報の内容に応じて防災警報受信機に接続される外部機器を制御することができる。
【図面の簡単な説明】
【００２９】
【図１】本発明の実施形態に係る防災警報受信機の外観図である。
【図２】本発明の実施形態に係る防災警報受信機の構成図である。
【図３】本発明の実施形態に係る信号処理記憶部の構成図である。
【図４】本発明の実施形態に係る制御記憶部の構成図である。
【図５】本発明の実施形態に係る変換テーブルの構成図である。
【図６】本発明の実施形態に係る防災行政無線情報の構成図である。
【図７】本発明の実施形態に係る緊急地震情報の構成図である。
【図８】本発明の実施形態に係るＴＳ信号情報の構成図である。
【図９】本発明の実施形態に係るＡＣ信号情報の構成図である。
【図１０】本発明の実施形態に係る信号処理部のフローチャート説明図である。
【図１１】本発明の実施形態に係る制御部のフローチャート説明図である。
【図１２】本発明の実施形態に係る地域コードテーブルの構成図である。
【発明を実施するための形態】
【００３０】
今日、地上波テレビジョン放送ではＡＣ信号と呼ばれる付加情報信号を伝送するための信号に緊急地震速報の情報を載せて送信している。本実施形態の防災警報受信機は、ワンセグ受信機（チューナー）でワンセグ放送を受信してＡＣ信号を監視し、緊急地震速報の情報が検出された時はワンセグ音声及び／又は文字情報を出力する緊急地震速報検知機能を持つ。また、本実施形態の防災警報受信機は、防災行政無線が放送された時は放送の先頭にある選択呼出し信号の中から地域コード（市町村コード）を判別し、予め設定された地域コードと一致する時は防災行政無線を音声出力する防災行政無線検知機能を持つ。
【００３１】
以下、本発明の実施形態を図面を用いて説明する。図１は、防災警報受信機の外観図である。防災警報受信機１００は本体正面に、表示部１０１、音声出力部１０２、入力部１０３を備える。入力部１０３は、設定ボタン１０４、操作ボタン１０５，１０６、決定ボタン１０７を備える。また、防災警報受信機１００は本体右側面に、音量ダイヤル１０８を備える。
【００３２】
本体正面において、表示部１０１は、ＬＣＤやＶＦＤ等の受信機内に配置された文字表示部である。音声出力部１０２は、本実施形態では本体正面の左側に配置されており、スピーカーとして警報音を出力する。操作ボタン１０５，１０６は、防災警報受信機１００の設定時に選局等を行うための−（戻り）ボタンや＋（送り）ボタンとして機能する。
【００３３】
本体右側面において、音量ダイヤル１０８は、警報音量等の設定を行うためのダイヤルである。本実施形態では、音量ダイヤル１０８の位置は、本体右側面に一部を突出させるようにして裏面側に配置されている。
【００３４】
図２は、防災警報受信機の構成図である。防災警報受信機１００は、アンテナ２０１，２０２、受信部２１３、信号処理部２０５、信号処理記憶部２０６、マイコン２０７、出力部２１１を備える。マイコン２０７は、制御部２０９及び制御記憶部２１０を有する。受信部２１３は、防災行政無線受信部２０３、ワンセグ受信部２０４を有する。また、出力部２１１は、画像処理部２１２、音声処理部２０８、表示部１０１、音声出力部１０２を有する。
【００３５】
アンテナ２０２から入力されたワンセグ放送信号は、モジュール等で構成されるワンセグ受信部（ワンセグチューナー）２０４において復号化等の処理が行われ、映像情報と音声情報とＡＣ信号情報を含む情報がＴＳ（Ｔｒａｎｓｐｏｒｔ  Ｓｔｒｅａｍ）信号情報として信号処理部２０５へ出力される。
【００３６】
防災行政無線受信部２０３は、防災行政無線の信号を復調・復号化して受信データを信号処理部２０５へ出力する。
【００３７】
信号処理部２０５では、ＴＳ信号情報の中から音声情報を取り出して音声処理部２０８へ出力する。また、ＴＳ信号情報の中から映像情報及びＡＣ信号の情報を取り出して制御部２０９へ出力する。
【００３８】
制御部２０９はワンセグ受信部２０４の初期化等の制御を行う。また、制御部２０９は、信号処理部２０５からのＡＣ信号の情報が、自身が設置されている地域に向けた緊急地震速報であると判断した場合、画像処理部２１２に対し文字情報（例えば、緊急地震速報  埼玉県）を出力させるよう又は音声処理部２０８に対し音声を出力させるように制御する。
【００３９】
音声処理部２０８は、音声信号の復号化等を行い、制御部２０９からの制御によって出力部２１１に音声の出力をさせる。
【００４０】
図３は、信号処理記憶部の構成図である。信号処理記憶部２０６は、設定地域コード（第一地域コード）３０１を有する。設定地域コード３０１には、防災警報受信機１００が設置されている地域に対応した地域コードが記憶される。設定地域コード３０１は、防災行政無線信号に含まれる地域コードと一致するか比較され、一致する場合に防災警報受信機１００の設置されている地域が、防災行政無線の報知対象地域であると判定される。
【００４１】
図４は、制御記憶部の構成図である。制御記憶部２１０は、変換テーブル４０１、文字情報４０２、設定地域コード（第二地域コード）４０３を有する。
【００４２】
変換テーブル４０１は、防災行政無線及び緊急地震速報に含まれる地域毎の識別情報（地域コード、地震動情報）と、地域名とを変換するために用いられる。文字情報４０２は、防災行政無線又は緊急地震速報の警報内容を文字出力するために用いられ、報知メッセージ等が予め登録されている。また、設定地域コード４０３は、防災警報受信機１００の設置されている地域が緊急地震速報の報知対象地域であるかの判定に用いられる。
【００４３】
図１２は、地域コードテーブルの構成図である。地域コードテーブル１２００は、地域コード１２０１に対して、都道府県名１２０２、市区町村名１２０３を有する。本図のように、地域コード１２０１と、これに対応する地域名（都道府県名１２０２、市区町村名１２０３）として、例えば全国地方公共団体コード表で定められた対応データを用いることができる。ユーザーは、地域コードテーブル１２００を参照して、自身が設置される地域名（都道府県名１２０２、市区町村名１２０３）に対応する地域コード１２０１を入力部１０３から入力する。入力された地域コード１２０１は、設定地域コード３０１，４０３に予め記憶される。なお、地域コード１２０１は、例えばフラッシュメモリ等の書き換え可能な不揮発性メモリに記憶されており、本実施形態では、信号処理記憶部２０６に記憶される。
【００４４】
図５は、変換テーブルの構成図である。変換テーブル４０１は、部分地域コード５０１に対し、割当ビット番号５０２、都道府県名５０３を記憶する。変換テーブル４０１は、設定地域コード３０１，４０３の第１桁及び第２桁の番号（部分地域コード）を割当ビット番号５０２と都道府県名５０３に変換するために用いられる。
【００４５】
割当ビット番号５０２は、地震動情報の対象地域毎に割り当てられているビット番号である。本図のように、データ列５１１，５１２毎に対応するデータが記憶される。
【００４６】
防災警報受信機１００が設置されている地域に対応する地域コードは、マイコン２０７内の制御記憶部２１０に設定地域コード４０３として予め記憶してあり、地域コードの上２桁は都道府県を表す情報のため、これを緊急地震速報の対象地域の判定にも利用することができる。例えば、北海道小樽市向けの防災警報受信機１００では、設定地域コード４０３として「０１２０３３」が登録されている。設定地域コード４０３に登録された番号の第１桁及び第２桁が「０１」であるため、部分地域コード５０１「０１」のデータ列５１１を参照して、緊急地震速報の対象地域を判定するための割当ビット番号５０２は「５６」、「５７」、「５８」、「５９」であると求めることができ、都道府県名５０３は「北海道」と求めることができる。
【００４７】
図６は、アンテナ２０１を介して防災行政無線受信部２０３が受信する、防災行政無線情報の構成図である。防災行政無線情報６００は、制御情報６０１と防災無線音声情報６０２を有する。また、制御情報６０１は防災警報の報知対象地域を示す地域コード６０３を含む。
【００４８】
図７は、アンテナ２０２を介してワンセグ受信部２０４が受信する、緊急地震情報の構成図である。緊急地震情報７００は、映像情報７０１、ワンセグ音声情報７０２、ＡＣ信号情報７０３を有する。映像情報７０１は、動画、静止画、文字情報等を含む。気象庁は、所定の最大震度以上の地震発生予測地域がある場合に、緊急地震速報に関する情報を発表する。テレビ等の送信局は、この情報を基に緊急地震情報７００を、ワンセグ放送信号のセグメント内に含めて送信する。
【００４９】
セグメント内のＡＣキャリアには、所定の震度以上が予測される地域の情報が、ＡＣ信号情報７０３として含まれている。詳細は図９で後述する。
【００５０】
図８は、ＴＳ信号情報の構成図である。ＴＳ信号情報８００は、ヘッダ部にシンクバイト８０１、インジケータ８０２、レングス８０３を有する。また、ＴＳ信号情報８００は、データ部にＡＣ信号情報８０４を有する。ワンセグ受信部２０４は、緊急地震情報７００のＡＣ信号情報７０３を、ＴＳ信号情報８００のＡＣ信号情報８０４に含め、信号処理部２０５に送信する。本図は、ＴＳ信号情報８００のデータ部にＡＣ信号情報７０３を含めた例を示しているが、データ部として映像情報７０１又はワンセグ音声情報７０２を含めてもよい。この場合、ワンセグ受信部２０４は、映像情報７０１又はワンセグ音声情報７０２を、他のＴＳ信号情報のＡＣ信号情報７０３と紐付けて、送信することができる。
【００５１】
図９は、ＡＣ信号情報の構成図である。ＡＣ信号情報７０３，８０４は、構成識別９０１、開始／終了フラグ９０２、信号識別９０３、現在時刻９０４、ページ種別９０５、地震動情報９０６を有する。なお、ＡＣ信号情報７０３，８０４に含まれる情報は、ＡＲＩＢ  ＳＴＤ−Ｂ３１に規定されており、これら以外の情報も適宜含めることができる。
【００５２】
以下、ＡＲＩＢ  ＳＴＤ−Ｂ３１の形式に従って、ＡＣ信号情報が有する各情報について説明する。構成識別９０１は、ＡＣ信号情報が地震動警報情報の伝送であるかを示す情報である。ＡＣ信号情報自体は、地震動警報以外に、付加情報の伝達にも用いられているため、この構成識別９０１によりＡＣ信号情報が地震に関する情報であるか判定される。開始／終了フラグ９０２は、地震動警報情報の送出の開始又は終了を表す情報である。信号識別９０３は、地震動警報詳細情報の種別を表す情報である。現在時刻９０４は、地震動警報情報を送出される現在時刻情報である。また、地震動情報９０６は、ページ種別９０５が「０」の場合に伝送される、所定の震度以上の地震が予測される地域である、地震動警報の対象地域を示す情報である。なお、本実施形態では、ページ種別９０５が「０」である場合について説明する。
【００５３】
地震動警報の対象地域を示す地震動情報９０６は、ＡＣ信号情報７０３，８０４の５６番目から１１１番目のビットに割り当てられ、１ビット毎に１地域の情報が割り当てられる。そして、ビット値が「１」の場合は地震動警報の対象地域を含まない地域であり、ビット値が「０」の場合は、地震動警報の対象地域を含む地域を示す。例えば、「Ｂ６９」（以下、Ｂはビット値、添え字はビット番号を表す）が「０」の場合、埼玉県が地震動警報の対象地域に含まれることを表す。
【００５４】
つぎに、電源投入時の処理について説明する。電源が投入されると、制御部２０９は、ワンセグ受信部２０４の初期設定、信号処理部２０５の初期設定、表示部１０１の初期設定等を行う。その後、ユーザーが操作ボタン（選局ボタン）１０５，１０６等によりワンセグ受信チャンネルや設置する地域を設定する。具体的には、ユーザーは表示部１０１に表示される指示に従い、地域コードテーブル１２００を参照して、防災警報受信機１００の設置される地域名（都道府県名１２０２、市区町村名１２０３）に対応する地域コード１２０１を入力部１０３から入力する。制御部２０９は、入力された地域コード１２０１を設定地域コード３０１，４０３に記憶する。ユーザー操作によりワンセグ受信チャンネルが決定すると、制御部２０９は、決定した受信チャンネルをチューニングするようにＩ２Ｃ（Ｉｎｔｅｒ  Ｉｎｔｅｇｒａｔｅｄ  Ｃｉｒｃｕｉｔ）を通してワンセグ受信部２０４に指示する。その後、ユーザーによる設定完了操作により、待機状態（スピーカー出力や文字表示のオフ状態）に入る。
【００５５】
つぎに、信号処理部２０５の処理について説明する。図１０は、信号処理部のフローチャート説明図である。処理が開始されると、信号処理部２０５は、ＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）を通して、制御部２０９からの指示を受けて初期設定を行い、ワンセグ受信部２０４のＡＣ信号を用いた緊急地震速報の検出に必要なＴＳ信号の処理を開始する。
【００５６】
ステップＳ１００で、信号処理部２０５は、ワンセグ受信部２０４から出力されたＴＳ信号情報８００にＡＣ信号情報が含まれていることを表すＡＣヘッダが送られていないか判定を行う。例えば、ＡＣヘッダはシンクバイト８０１に１バイト、インジケータ８０２に１バイト、レングス８０３に２バイトの情報を有する。シンクバイト８０１は、０ｘＢ０（１６進数のＢ０）ならＡＣ信号情報、０ｘ４７ならそれ以外の映像や音声の情報を表す。インジケータ８０２は、０ｘ８０ならスタートパケット、０ｘ２０ならエンドパケット、０ｘ４０なら中間パケットを表す。レングス８０３は、残りのバイト数を１６進数で表す。１パケットは、ヘッダ部とデータ部を合わせて１８８バイトから成り、１８８バイトに満たない部分は１８８バイトになるまで０ｘ００が連続で送信されてくる。
【００５７】
信号処理部２０５は、シンクバイト８０１が０ｘＢ０であることにより、ヘッダ部をＡＣヘッダとして検出した場合は、ステップＳ１５０の処理に進み、検出されない場合はステップＳ１１０の処理に進む。
【００５８】
ステップＳ１１０で、信号処理部２０５は、防災行政無線受信部２０３から防災行政無線情報６００を受信したか確認し、受信した場合はステップＳ１２０へ進み、受信しない場合はステップＳ１００の処理に戻る。
【００５９】
ステップＳ１２０で、信号処理部２０５は受信データから制御情報６０１と防災無線音声情報６０２を取り出す。ステップＳ１３０で、信号処理部２０５は、制御情報６０１の中の地域コード６０３が信号処理記憶部２０６内の設定地域コード３０１と一致すると判断した場合、ステップＳ１４０の処理へ進み、一致しない場合はステップＳ１００の処理に戻る。
【００６０】
ステップＳ１４０で、信号処理部２０５は、防災無線音声情報６０２を音声処理部２０８に出力し、制御部２０９に防災行政無線を受信した事を伝えるとともに防災行政無線の警報内容（第一防災警報情報）を出力させる防災行政無線出力指示を送信する。その後、処理はステップＳ１００に戻る。
【００６１】
また、ＴＳ信号情報８００にＡＣ信号情報８０４が含まれていた場合、ステップＳ１５０で、信号処理部２０５は、ＴＳ信号情報８００のＡＣヘッダに続くデータ（ＡＣ信号情報８０４）を取り込み、信号処理部２０５内のＦＩＦＯメモリ等の信号処理記憶部２０６に保存する。
【００６２】
ステップＳ１６０で、信号処理部２０５は、ＡＣ信号情報８０４の最終バイトを取り込んだか判定を行う。信号処理部２０５は、最終バイトを取り込んでいればステップＳ１７０の処理に進み、取り込んでいなければステップＳ１５０の処理に戻る。本実施形態では、データの１８４バイト目が最終バイトとなり、レングス８０３の２バイトで表されるバイト数のデータが、ＡＣ信号情報８０４として有効なデータとなる。
【００６３】
ステップＳ１７０で、信号処理部２０５は、ＴＳ信号情報８００のヘッダを除いた残りのデータを制御部２０９へ送るための形式へフォーマット変換する。ワンセグ受信部２０４からのＡＣ信号情報８０４の１ビットのデータが１バイトのデータに（２進数の０ｂ１なら１６進数の０ｘＦＦに、０ｂ０なら０ｘ００に）変換されて送られてくる場合、信号処理部２０５は、データを１バイトから１ビットに（１６進数の０ｘＦＦなら２進数の０ｂ１に、０ｘ００なら０ｂ０に）フォーマット変換する。１バイト毎にフォーマット変換されたデータは信号処理記憶部２０６から消去される。
【００６４】
ステップＳ１８０で、信号処理部２０５は、フォーマット変換されたＡＣ信号情報８０４のデータを８ビット毎にＵＡＲＴ１から制御部２０９に向けて出力する。データ出力が終わるとステップＳ１００のＡＣヘッダの検出処理に戻る。
【００６５】
なお、ここではＵＡＲＴ１としたが、代わりに８ビットのパラレル通信等の別の通信方式を用いることも可能である。
【００６６】
図１１は、制御部のフローチャート説明図である。制御部２０９は、本フローに従い防災行政無線の警報内容（第一防災警報情報）及び緊急地震速報の警報内容（第二防災警報情報）を出力する。制御部２０９は、ユーザーによる設定完了操作により、待機状態（スピーカー出力や文字表示のオフ状態）に入ると、信号処理部２０５が送信する信号の検出処理を開始する。
【００６７】
まず、防災行政無線の警報内容の出力処理について説明する。ステップＳ２００で、制御部２０９は、ＵＡＲＴ１を通して信号処理部２０５からＡＣ信号情報８０４を受信したか判定を行う。ＡＣ信号情報８０４が受信された場合はステップＳ２３０に進み、受信されない場合はステップＳ２１０に進む。
【００６８】
ステップＳ２１０で、制御部２０９は、信号処理部２０５から防災行政無線出力指示信号を受信したか判定する。受信した場合は、ステップＳ２２０の処理に進み、受信しない場合は、ステップＳ２００の処理に戻る。
【００６９】
ステップＳ２２０で、制御部２０９は、音声処理部２０８に対し防災無線音声情報６０２を出力させる出力指示信号を送信する。これにより、音声処理部２０８は、防災行政無線の警報内容として、信号処理部２０５から受信した防災無線音声情報６０２を、音声出力部１０２により音声出力する。処理が終わると、ステップＳ２００に戻る。
【００７０】
つぎに、緊急地震速報の警報内容の出力処理について説明する。ステップＳ２００でＡＣ信号情報８０４が受信された場合、制御部２０９は、ステップＳ２３０でＵＡＲＴ１から受信されたＡＣ信号情報８０４を取り込み、マイコン２０７内部の制御記憶部２１０に保存する。
【００７１】
ステップＳ２４０で、制御部２０９は、ＡＣ信号情報８０４の最終バイトを取り込んだか判定を行う。最終バイトを取り込んでいればステップＳ２５０に進み、取り込んでいなければステップＳ２３０の処理に戻る。最終バイトの判定は、予めパケットのデータ量を決めておいて受信バイト数が予め定められたパケットのデータ量と一致するか判定する方法や、信号処理部２０５から送信するデータの先頭に送信バイト数が分かるヘッダを付けておき受信バイト数がヘッダにある送信バイト数と一致するか判定する方法等により行われる。
【００７２】
ステップ２５０で、制御部２０９は、受信したＡＣ信号情報８０４が緊急地震速報か判定を行い、緊急地震速報の場合はステップＳ２６０の処理に進み、緊急地震速報ではない場合はステップＳ２００の判定処理に戻る。
【００７３】
緊急地震速報の判定方法について、ＡＲＩＢ  ＳＴＤ−Ｂ３１の形式のデータでは、制御部２０９は、Ｂ０からＢ２０３の２０４ビットのデータの内、Ｂ１からＢ３（構成識別９０１）が２進数で０ｂ００１または０ｂ１１０の場合に緊急地震速報と判定し、それ以外は緊急地震速報ではないと判定すると規定されている。
【００７４】
ステップＳ２６０で、制御部２０９は、さらに緊急地震速報の対象地域の中に予め設定されている自身（防災警報受信機１００）の地域が含まれているか判定を行い、自身の地域が含まれている場合は、ステップＳ２７０の処理に進み、含まれていない場合はステップＳ２８０の処理に進む。
【００７５】
緊急地震速報の対象地域の判定方法について、ＡＲＩＢ  ＳＴＤ−Ｂ３１の形式のデータでは、Ｂ５６からＢ１１１（地震動情報９０６）のデータ上、１ビットに対し各々１地域が割り当てられており、ビット値が「０」なら対象地域に該当し、「１」なら対象地域に該当しないと規定されている。制御部２０９は、予め設定されている自身（防災警報受信機１００）の設置地域情報に該当するビットの値を見て、「０」なら対象地域に含まれ、「１」なら対象地域に含まれないと判定する。
【００７６】
具体例を図５を参照して説明する。例えば、初期設定時にユーザーに設定してもらった地域が埼玉県さいたま市の場合、設定地域コード４０３には、都道府県名１２０２「埼玉県」及び市区町村名１２０３「さいたま市」に対応する地域コード１２０１である「１１１００７」が予め登録されている。制御部２０９は、設定地域コード４０３に登録された番号の第１桁及び第２桁の値（部分地域コード）「１１」が登録されているデータ列（本図では、部分地域コード５０１に「１１」が登録されているデータ列５１２）を参照して、緊急地震速報の対象地域を判定するための割当ビット番号５０２は「６９」であると求める。制御部２０９は、求められた割当ビット番号５０２が「６９」であるため、地震動情報９０６のＢ６９のデータを確認する。制御部２０９は、Ｂ６９のデータが「０」なら対象地域であると判定し、Ｂ６９のデータが「１」なら対象地域に含まれないと判定する。
【００７７】
また、例えば、市区町村名５０４「さいたま市」、「川越市」の何れかに対応する地域コード１２０１が登録されていても、地域コード１２０１の第１桁及び第２桁を参照することで、都道府県名１２０２「埼玉県」に該当する割当ビット番号５０２「６９」のビットを参照することになる。したがって、本実施形態のように、地震動情報に含まれる地域の割当数よりも、地域コード１２０１による地域の割当数の方が多く規定されている場合であっても、防災行政無線に用いられる地域コード１２０１を自身の設置地域として登録しておくことで、緊急地震速報の報知対象地域を適切に判定することができる。
【００７８】
また、例えば、設定地域コード４０３に北海道小樽市に対応する「０１２０３３」が登録されている場合、第１桁及び第２桁の番号は「０１」である。この場合、変換テーブル４０１で、「０１」と同値の部分地域コード５０１に対応する割当ビット番号５０２は、「５６」、「５７」、「５８」、「５９」のように複数登録されている。制御部２０９は、割当ビット番号５０２が「５６」、「５７」、「５８」、「５９」であるため、地震動情報９０６のＢ５６、Ｂ５７、Ｂ５８、Ｂ５９のデータを確認する。制御部２０９は、割当ビット番号５０２「５６」、「５７」、「５８」、「５９」のいずれかが「０」の場合、自身が対象地域の緊急地震情報であると判定する。このように、ひとつの都道府県名５０３に対して複数の割当ビット番号５０２が登録された場合であっても、防災行政無線に用いられる地域コード４０３を用いて、緊急地震速報の報知対象地域を適切に判定することができる。
【００７９】
図１１に戻り、ステップＳ２７０で、制御部２０９は、緊急地震速報の警報内容を出力する。例えば、文字表示の場合、制御部２０９は、制御記憶部２１０から警報内容であることを示す文字情報４０２「緊急地震速報」を取得する。そして、制御部２０９は、ＵＡＲＴ（ブロック図のＵＡＲＴ２）を通して表示部１０１に「緊急地震速報」と「埼玉県」の文字データを送信し、表示させる。
【００８０】
これにより、例えば、制御部２０９は、「緊急地震速報  埼玉県」の文字をスクロール表示させる。
【００８１】
ステップＳ２８０で、制御部２０９は、自身（防災警報受信機１００）の地域と異なる地域に割当てられたビットの、地震動情報の対象地域であることを示すビットを特定し、その特定されたビットに対応するひとつ又は複数の地域名を連続して表示することができる。
【００８２】
なお、初期設定時に、自身の設定地域コードが地震動情報の対象地域に含まれない緊急地震速報の場合に警報出力「する」又は「しない」の選択ができるようにする事も可能である。ユーザーが、自身の設定地域コードが地震動情報の対象地域に該当しないときに警報出力「しない」方を選択した場合、ステップＳ２８０の処理を省略し、自身が対象地域に含まれない緊急地震速報を出力せずに待機状態に戻って待機状態を維持することができる。
【００８３】
一定時間経過後、警報出力が終わったら、処理は待機状態（音声出力や文字表示のオフ状態）に入り、ステップＳ２００の判定に戻る。
【００８４】
なお、制御部２０９は、対象地域に含まれる場合は表示部１０１をフラッシュ点滅（全点灯と全消灯を短時間に繰り返す）させた後で文字の表示を行うことができる（第一出力動作）。
【００８５】
また、自身の設定地域コードが地震動情報の対象地域に該当しないときに警報出力「する」を選択した場合、制御部２０９は、ステップＳ２８０で、防災警報受信機１００が設置されていない他の地震動警報の対象地域名を、表示部１０１に文字表示させることができる。また、制御部２０９は、対象地域に含まれない場合は表示部１０１をフラッシュ点滅させずにそのまま文字の表示を行い（第二出力動作）、第一出力動作よりも報知レベルを下げることができる。これにより、緊急度により報知レベルを変えて警報出力することができる。
【００８６】
つぎに、防災行政無線の警報内容の出力方法の変形例について説明する。防災警報受信機１００は、防災行政無線の警報内容を固定音声で音声出力することができる。
【００８７】
例えば、信号処理記憶部２０６には、地域コード６０３及びステップＳ１３０の判定結果に各々対応した固定音声を予め記憶しておく。ステップＳ１４０で、信号処理部２０５は、地域コード６０３及びステップＳ１３０の判定結果に対応した固定音声を音声処理部２０８に送信する。そして、制御部２０９は、ステップＳ２１０で防災行政無線の出力指示を受信した場合、ステップＳ２２０で音声処理部２０８に対して固定音声の出力指示を送信し、音声処理部２０８は音声出力部１０２により固定音声を出力する。これにより、防災無線情報の受信の際、音声信号が送信局から正常に送信されない等の場合であっても、防災警報情報を確実に音声出力させることができる。
【００８８】
また、防災行政無線の警報内容の出力方法の他の変形例について説明する。防災警報受信機１００は、防災行政無線に関する警報内容を文字表示出力することができる。
【００８９】
例えば、信号処理部２０５は、ステップＳ１３０で、制御情報６０１の中の地域コード６０３が信号処理記憶部２０６内の設定地域コード３０１と一致すると判断した場合、制御部２０９に対し、文字表示を行う出力指示を送信する。制御部２０９は、変換テーブル４０１を参照して、地域コード６０３の第１桁及び第２桁に対応する都道府県名５０３を取得するとともに、防災行政無線に関する予め設定登録された所定の警報内容を表示するための文字情報４０２を制御記憶部２１０から取得する。そして、制御部２０９は、防災行政無線の警報内容として、ＵＡＲＴ（ブロック図のＵＡＲＴ２）を通して表示部１０１に取得した文字情報を送信し、警報表示させることができる。
【００９０】
なお、初期設定時に、自身の設定地域コード３０１が地域コード６０３と一致しない場合に警報出力「する」又は「しない」の選択ができるようにする事も可能である。また、警報出力「する」を選択したときに自身の設定地域コード３０１が地域コード６０３と一致しない場合、表示部１０１をフラッシュ点滅させずにそのまま文字の表示を行い（第二出力動作）、緊急度により報知レベルを変えて警報出力することができる。
【００９１】
つぎに、緊急地震速報の警報内容の出力方法の変形例について説明する。防災警報受信機１００は、緊急地震速報の警報内容を映像情報により表示出力することができる。
【００９２】
例えば、制御部２０９は、ステップＳ１００で、ＴＳ信号情報８００のデータ部が映像情報であると判断した場合であっても、これが他のＴＳ信号情報８００のＡＣ信号情報８０４と紐づいたデータであると判断した場合には、ステップＳ１５０に進む。そして、ステップＳ１８０で、制御部２０９は、当該映像情報７０１を制御部２０９に送信することができる。制御部２０９は、ステップＳ２００でＡＣ信号情報８０４に紐づいた映像情報７０１を受信した場合、ステップＳ２３０で当該映像情報７０１を取り込み、制御記憶部２１０に保存する。その後、制御部２０９は、ＡＣ信号情報８０４を用いて、ステップＳ２５０及びステップＳ２６０の判定を行う。ステップＳ２７０及びステップＳ２８０で、制御部２０９は、受信した映像情報７０１とともに出力指示を画像処理部２１２に送信し、画像処理部２１２は表示部１０１から映像情報７０１を出力する。
【００９３】
つぎに、緊急地震速報の警報内容の出力方法の他の変形例について説明する。防災警報受信機１００は、緊急地震速報の警報内容をワンセグ音声情報により音声出力することができる。
【００９４】
例えば、ワンセグ受信部２０４は、ＡＣ信号情報７０３を信号処理部２０５に送信する際、ワンセグ音声情報７０２をＡＣ信号情報７０３と紐づけて送信する。信号処理部２０５は、ワンセグ音声情報７０２を信号処理記憶部２０６に記憶する。制御部２０９は、ステップＳ２６０で自身（防災警報受信機１００）の設置地域情報が地震動情報の対象地域であると判定すると、ステップＳ２７０で、ワンセグ音声を再生するように信号処理部２０５及び音声処理部２０８に指示を出す。信号処理部２０５は、ワンセグ音声情報７０２を音声処理部２０８に送信する。これにより、音声出力部１０２からワンセグ音声を出力させたり、警報の出力を操作することができる。
【００９５】
つぎに、緊急地震速報の警報内容の出力方法の他の変形例について説明する。防災警報受信機１００は、緊急地震速報の警報内容を固定音声により音声出力することができる。
【００９６】
例えば、制御記憶部２１０には、地震動情報の対象地域及びステップＳ２６０の判定結果に各々対応した固定音声を予め記憶させておく。制御部２０９は、ステップＳ２７０及びステップＳ２８０で、音声処理部２０８に対して緊急地震速報が発表された旨や地震動情報の対象地域を報知する固定音声及びこれらの出力指示を送信することで、音声処理部２０８が音声出力部１０２から固定音声を出力する。これにより、緊急地震速報の受信の際、音声信号が送信局から正常に送信されない等の場合であっても、緊急地震速報を確実に音声出力させることができる。また、送信局から送られてくる音声信号の復調や復号に時間を要する場合であっても、防災警報情報を迅速確実に音声出力させることができる。
【００９７】
なお、初期設定時に、自身の設定地域コードが地震動情報の対象地域に含まれない緊急地震速報の場合に警報出力「する」又は「しない」の選択ができるようにする事も可能である。また、自身の設定地域コードが地震動情報の対象地域に含まれる場合はボリューム設定にかかわらず最大音量で音声を出力し（第一出力動作）、対象地域に含まれない場合はボリューム設定通りの通常音量で音声を出力する（第二出力動作）事で、緊急度により報知レベルを変えて警報出力することができる。
【００９８】
以上のように本実施形態によると、ワンセグ放送のＡＣ信号による緊急地震速報は専用の信号であり、人間に向けた報知音であるラジオの緊急地震速報のチャイム音に比べて正確であるため、誤検知の少ない防災警報受信機を構成することができる。また、ＡＣ信号には緊急地震速報の対象となる地域の情報も含まれるため、設置場所が対象となる地域に含まれるか判別し、関係のない速報を出力対象から除外する事ができる。また、ワンセグ放送による緊急地震速報は、テレビ放送の映像や音声と比べて遅延の少ないＡＣ信号を利用しているため、テレビに流れる映像や音声よりも早く緊急地震速報を伝える事ができる。
【００９９】
また、緊急地震速報検知機能付き防災行政無線受信機では、緊急地震速報の対象地域の判別用に緊急地震速報用の地域情報を設定しておく必要があったが、本実施形態の防災警報受信機１００では、セルコール（セレコール）を行うために地域コードの情報が設定されているため、これを利用する事で、メモリの節約や書き込み時の設定変更の手間を省くことができる。
【０１００】
以上、本発明の実施形態を説明したが、本発明は本実施形態によっては限定されることはなく、種々の形態で実施することができる。
【０１０１】
例えば、防災警報受信機１００が過去に受信した、防災行政無線情報６００及び緊急地震情報７００のデータを信号処理記憶部２０６に、ＡＣ信号情報８０４を制御記憶部２１０に記憶してもよい。そして、入力部１０３からの操作により、制御部２０９は、防災行政無線情報６００及び緊急地震情報７００の履歴情報を、表示部１０１に表示させたり、音声出力部１０２から音声出力させることができる。
【０１０２】
また、防災警報受信機１００は、音声出力や文字表示と共に又はこれらに換えて、外部機器を制御してもよい。防災警報受信機１００は、出力部として制御信号出力部を備え、屋内放送機器に対し防災行政無線や緊急地震速報の内容に応じた防災警報情報を放送することができる。この場合、防災警報受信機はスタート信号のみを送り、屋内放送機器は予め設定された音声データをスタート信号の種別に応じて屋内スピーカーから出力するようにしてもよい。また、屋内放送機器以外にも、制御部２０９は制御信号を出力して適宜の外部機器を制御することができる。
【０１０３】
また、本実施形態では、信号処理部２０５及び音声処理部２０８は、マイコン２０７の制御部２０９とは別の処理部として構成したが、ＦＰＧＡ（ｆｉｅｌｄ−ｐｒｏｇｒａｍｍａｂｌｅ  ｇａｔｅ  ａｒｒａｙ）、ＤＳＰ（Ｄｉｇｉｔａｌ  Ｓｉｇｎａｌ  Ｐｒｏｃｅｓｓｏｒ）等の高速処理が可能なデバイスであれば、一つの処理部として構成することができる。
【０１０４】
本発明の実施形態における処理は、コンピュータに実現させることのできるプログラムとして、例えば磁気ディスク、光ディスク、半導体メモリ等の記憶媒体に書き込んだ状態で各種装置に適用する、或いは、通信媒体により伝送して各種装置に適用することも可能である。このように所望の記憶媒体に本実施形態で述べた各処理を記憶させ、他のコンピュータ等でプログラムを実行させることにより、本実施形態の装置を用いた場合と同様の作用効果が得られる。なお、コンピュータは、本実施形態で述べた装置に内蔵されたコンピュータに限定されるわけではなく、記憶媒体に記憶されたプログラムを読み取り可能であって、読み取ったプログラムに従って制御動作を行うＣＰＵ等の演算装置を備えているあらゆるコンピュータを含む。
【０１０５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに特許請求の範囲に記載された発明とその均等の範囲に含まれる。
【符号の説明】
【０１０６】
１００  防災警報受信機                １０１  表示部
１０２  音声出力部                    １０３  入力部
１０４  設定ボタン                    １０５  操作ボタン
１０６  操作ボタン                    １０７  決定ボタン
１０８  音量ダイヤル
２０１  アンテナ                      ２０２  アンテナ
２０３  防災行政無線受信部            ２０４  ワンセグ受信部
２０５  信号処理部                    ２０６  信号処理記憶部
２０７  マイコン                      ２０８  音声処理部
２０９  制御部                        ２１０  制御記憶部
２１１  出力部                        ２１２  画像処理部
２１３  受信部
３０１  設定地域コード
４０１  変換テーブル                  ４０２  文字情報
４０３  設定地域コード
５０１  部分地域コード                ５０２  割当ビット番号
５０３  都道府県名                    ５１１，５１２  データ列
６００  防災行政無線情報              ６０１  制御情報
６０２  防災無線音声情報              ６０３  地域コード
７００  緊急地震情報                  ７０１  映像情報
７０２  ワンセグ音声情報              ７０３，８０４  ＡＣ信号情報
８００  ＴＳ信号情報                  ８０１  シンクバイト
８０２  インジケータ                  ８０３  レングス
９０１  構成識別                      ９０２  開始／終了フラグ
９０３  信号識別                      ９０４  現在時刻
９０５  ページ種別                    ９０６  地震動情報
１２００  地域コードテーブル          １２０１  地域コード
１２０２  都道府県名１２０２          １２０３  市区町村名
１２１１〜１２１６  データ列
【図１】
2016146579.tif 000003
【図２】
2016146579.tif 000004
【図３】
2016146579.tif 000005
【図４】
2016146579.tif 000006
【図５】
2016146579.tif 000007
【図６】
2016146579.tif 000008
【図７】
2016146579.tif 000009
【図８】
2016146579.tif 000010
【図９】
2016146579.tif 000011
【図１０】
2016146579.tif 000012
【図１１】
2016146579.tif 000013
【図１２】
2016146579.tif 000014